(57)【要約】【課題】組み立てる際の作業性に優れると共に、製造コストを低減すること。【解決手段】筒状部を有するケース１と、ケース１に回転可能に保持される中空状の操作軸３及び回転部材４と、一対のリード端子５ｂを有し回転部材４に取り付けられるＬＥＤ５と、回転部材４に取り付けられ一対のリード端子５ｂとそれぞれ導通する一対の第１摺動部材６と、回転部材４に取り付けられる回転検出用の第２摺動部材７と、第１摺動部材が摺接する給電用パターン及び第２摺動部材７が摺接する摺接パターンが設けられた基板２とを具備し、一対のリード端子５ｂを折り曲げて基板２と対向する接続部を形成する一方、第１摺動部材６の一部を当該接続部に弾接させたことを特徴とする。【選択図】図１
2008277259.tif 000002
【特許請求の範囲】
【請求項１】
筒状部を有するケースと、前記ケースに回転可能に保持される中空状の回転体と、一対のリード端子を有し前記回転体に取り付けられる発光部材と、前記回転体に取り付けられ前記一対のリード端子とそれぞれ導通する一対の導電部材と、前記回転体に取り付けられ当該回転体の回転検出用の摺動部材と、前記導電部材が摺接する給電用パターン及び前記摺動部材が摺接する摺接パターンが設けられた基板とを具備し、
前記一対のリード端子を折り曲げて前記基板と対向する接続部を形成する一方、前記導電部材の一部を前記接続部に弾接させたことを特徴とする回転型電気部品。
【請求項２】
前記一対の導電部材のそれぞれは、前記回転体に取り付けられる取付部と、前記取付部から延びて前記接続部に弾接する弾性腕部と、前記取付部から延びて前記給電用パターンに摺接する摺接片とを有し、前記弾性腕部と前記摺接片とが前記回転体の回転軸線方向の異なる方向に突出することを特徴とする請求項１記載の回転型電気部品。
【請求項３】
前記一対の導電部材のそれぞれの前記取付部は、前記一対のリード端子を挟んで対向する位置に取り付けられており、それぞれの前記弾性腕部が前記一対のリード端子のうち遠い位置に配置される前記リード端子に弾接することを特徴とする請求項２記載の回転型電気部品。
【請求項４】
前記接続部は、前記一対のリード端子の先端をＬ字状に折り曲げて形成されると共に、前記回転体の内周側から外周側に延びており、前記弾性腕部及び摺接片は、それぞれの前記取付部から同一方向に延びることを特徴とする請求項２又は請求項３記載の回転型電気部品。
【請求項５】
前記摺動部材は、前記導電部材と前記回転体の径方向に並んで配置されることを特徴とする請求項１から請求項４のいずれかに記載の回転型電気部品。
【請求項６】
前記摺動部材は、前記一対のリード端子を挟んで対向する位置に取り付けられる一対の取付部と、それぞれの前記取付部から延びて前記摺接パターンに摺接する一対の摺接片とを有し、前記一対の摺接片が互いに相手側の取付部の方向に延びることを特徴とする請求項５記載の回転型電気部品。
【請求項７】
前記回転体は、筒部を有する操作軸と、クリック感触を付与するための凹凸が設けられたクリック部材とからなり、前記発光部材は、前記クリック部材の内周側から当該クリック部材に取り付けられ、前記操作軸の筒状部の外周面で前記発光部材を支持することを特徴とする請求項１から請求項６のいずれかに記載の回転型電気部品。
【請求項８】
前記発光部材は、前記一対のリード端子を有する発光ダイオードであることを特徴とする請求項１から請求項７のいずれかに記載の回転型電気部品。
【請求項９】
前記発光部材は、光源と、この光源を保持し前記一対のリード端子を備える保持部材とからなり、前記一対のリード端子に前記光源の一対の電極とそれぞれ導電接続される第２接続部を設けたことを特徴とする請求項１から請求項７のいずれかに記載の回転型電気部品。
【請求項１０】
前記保持部材には、前記一対のリード端子が並べて埋設されると共に前記光源を受ける受け部が設けられ、前記第２接続部は、前記一対のリード端子から延出して互いに対向する位置に設けられ、前記受け部に配置された前記光源の一対の電極に弾接する突出部を有することを特徴とする請求項９記載の回転型電気部品。
【請求項１１】
前記光源は、チップ状発光ダイオードであることを特徴とする請求項９又は請求項１０記載の回転型電気部品。
【発明の詳細な説明】
【技術分野】
【０００１】
本発明は、回転型電気部品に関し、特に、電子機器等の各種制御に使用される回転型電気部品に関する。
【背景技術】
【０００２】
従来、電子機器等の各種制御に使用される回転型電気部品において、操作つまみの回転角度位置等をＬＥＤ等の発光素子の光により表示する照光表示機能付きの回転型電気部品が提案されている（例えば、特許文献１参照）。かかる回転型電気部品においては、ハウジングに回転可能に保持される回転部材に取り付けられた一対の導電板が接続片を有し、この接続片で発光素子が有する一対のリード端子の一端を挟持することで、発光素子に対して給電を行っている。
【特許文献１】特開２００６−１９０４６号公報
【発明の開示】
【発明が解決しようとする課題】
【０００３】
しかしながら、上述のような従来の回転型電気部品においては、発光素子が有する一対のリード端子と導電板との適切な接続を確保すべく、当該一対のリード端子を回転部材に形成された通孔に挿入する必要があるため、組み立てる際の作業性が悪いという問題がある。
【０００４】
本発明はかかる問題点に鑑みてなされたものであり、組み立てる際の作業性に優れた回転型電気部品を提供することを目的とする。
【課題を解決するための手段】
【０００５】
本発明の回転型電気部品は、筒状部を有するケースと、前記ケースに回転可能に保持される中空状の回転体と、一対のリード端子を有し前記回転体に取り付けられる発光部材と、前記回転体に取り付けられ前記一対のリード端子とそれぞれ導通する一対の導電部材と、前記回転体に取り付けられ当該回転体の回転検出用の摺動部材と、前記導電部材が摺接する給電用パターン及び前記摺動部材が摺接する摺接パターンが設けられた基板とを具備し、前記一対のリード端子を折り曲げて前記基板と対向する接続部を形成する一方、前記導電部材の一部を前記接続部に弾接させたことを特徴とする。
【０００６】
上記回転型電気部品によれば、発光部材が有する一対のリード端子を折り曲げて基板と対向する接続部を形成する一方、導電部材の一部を当該接続部に弾接させるようにしたことから、従来のように一対のリード端子の位置を固定するために所定の通孔に挿入する必要がないので、組み立てる際の作業性を向上することができる。また、導電部材が回転体に取り付けられた際、リード端子の接続部と導電部材との接続状態を容易に確認することができる。この結果、組み立てる際の作業性に優れた回転型電気部品を提供することが可能となる。
【０００７】
上記回転型電気部品において、前記一対の導電部材のそれぞれは、前記回転体に取り付けられる取付部と、前記取付部から延びて前記接続部に弾接する弾性腕部と、前記取付部から延びて前記給電用パターンに摺接する摺接片とを有し、前記弾性腕部と前記摺接片とが前記回転体の回転軸線方向の異なる方向に突出することが好ましい。この場合には、弾性腕部と摺接片とを前記回転体の回転軸線方向の異なる方向に突出させたことから、簡単な構成で導電部材をリード端子の接続部に弾接すると共に、給電用パターンに摺接させることが可能となる。
【０００８】
また、上記回転型電気部品において、前記一対の導電部材のそれぞれの前記取付部は、前記一対のリード端子を挟んで対向する位置に取り付けられており、それぞれの前記弾性腕部が前記一対のリード端子のうち遠い位置に配置される前記リード端子に弾接することが好ましい。この場合には、弾性腕部における腕部分の長さを確保することができるので、リード端子との接続の信頼性を向上することが可能となる。
【０００９】
特に、上記回転型電気部品において、前記接続部は、前記一対のリード端子の先端をＬ字状に折り曲げて形成されると共に、前記回転体の内周側から外周側に延びており、前記弾性腕部及び摺接片は、それぞれの前記取付部から同一方向に延びることが好ましい。この場合には、取付部から弾性腕部と摺接片とが平面視して同一方向に設けられることから、製造時における材料の歩留まり率を向上すると共に、回転体の回転角度を広く確保することが可能となる。
【００１０】
また、上記回転型電気部品において、前記摺動部材は、前記導電部材と前記回転体の径方向に並んで配置されることが好ましい。この場合には、摺動部材と、導電部材とが回転体の径方向に並んで配置されることから、導電部材及び摺動部材に要するスペースを低減することができるので、回転体の回転角度を広く確保することが可能となる。
【００１１】
例えば、上記回転型電気部品において、前記摺動部材は、前記一対のリード端子を挟んで対向する位置に取り付けられる一対の取付部と、それぞれの前記取付部から延びて前記摺接パターンに摺接する一対の摺接片とを有し、前記一対の摺接片が互いに相手側の取付部の方向に延びることが好ましい。この場合には、一対のリード端子を挟んで配置された一対の取付部が有する一対の摺接片が互いに相手側の取付部の方向に延びることから、一対の摺動片に要するスペースを低減することができるので、回転体の回転角度を広く確保することが可能となる。
【００１２】
さらに、上記回転型電気部品において、前記回転体は、筒部を有する操作軸と、クリック感触を付与するための凹凸が設けられたクリック部材とからなり、前記発光部材は、前記クリック部材の内周側から当該クリック部材に取り付けられ、前記操作軸の筒状部の外周面で前記発光部材を支持することが好ましい。この場合には、発光部材が操作軸とクリック部材との間に配置されることから、特別な取付作業を必要とすることなく容易に発光部材を装着すると共に、当該発光部材が脱落するのを防止することが可能となる。
【００１３】
例えば、上記回転型電気部品において、前記発光部材は、前記一対のリード端子を有する発光ダイオードで構成される。この場合には、一対の導電部材の一部を一対のリード端子にそれぞれ弾接する構成であることから、導電部材を複雑な構成にする必要がなくなるので、製造時における材料の歩留まり率を向上でき、製造コストを低減することができる。
【００１４】
また、上記回転型電気部品において、前記発光部材は、光源と、この光源を保持し前記一対のリード端子を備える保持部材とからなり、前記一対のリード端子に前記光源の一対の電極とそれぞれ導電接続される第２接続部を設けるようにしても良い。この場合には、保持部材を介して光源を回転体に取り付けることができることから、例えば、光源としてチップ状発光ダイオードを使用する場合にも、所望の照光位置に近づけて配置することが可能となる。
【００１５】
特に、上記回転型電気部品において、前記保持部材には、前記一対のリード端子が並べて埋設されると共に前記光源を受ける受け部が設けられ、前記第２接続部は、前記一対のリード端子から延出して互いに対向する位置に設けられ、前記受け部に配置された前記光源の一対の電極に弾接する突出部を有することが考えられる。この場合には、受け部に配置された光源の一対の電極に対して、第２接続部の突出部を弾接させることができるので、光源の電極とリード端子との導通状態を安定させることが可能となる。
【００１６】
例えば、上記回転型電気部品において、前記光源は、チップ状発光ダイオードで構成される。この場合には、保持部材に保持されるチップ状発光ダイオードを交換することにより、様々な発光色に対応することができる回転型電気部品を提供することが可能となる。
【発明の効果】
【００１７】
本発明によれば、発光部材が有する一対のリード端子を折り曲げて基板の対向する接続部を形成する一方、導電部材の一部を当該接続部に弾接させるようにしたので、従来のように一対のリード端子の位置を固定するために通孔に挿入する作業を必要とせず、導電部材を回転体に取り付ける際、導電部材とリード端子との接続状態を確認することができるので、組み立てる際の作業性に優れた回転型電気部品を提供することが可能となる。
【発明を実施するための最良の形態】
【００１８】
以下、本発明の実施の形態について添付図面を参照して詳細に説明する。
【００１９】
（実施の形態１）
図１は、本発明の実施の形態１に係る回転型電気部品の分解斜視図である。図２は、本実施の形態に係る回転型電気部品の全体斜視図である。なお、以下においては、適宜、図１に示す右方側を回転型電気部品の後方側（単に、後方側）と呼び、左方側を回転型電気部品の前方側（単に、前方側）と呼ぶものとする。
【００２０】
図１において、ケース１は、例えば、合成樹脂等の絶縁材で構成される。ケース１には、中央に大きな中空状の空洞部を有する筒状部である筒状軸１ａが突出して設けられている。筒状軸１ａの基部外周には、円環状の底面部を有する収納部１ｂが設けられている。収納部１ｂには、後述する絶縁基板２が収納される。また、ケース１の外周面には、本回転型電気部品の前後方向に沿って、後述する取付部材９の係合脚片９ｂと係合する複数の係合溝１ｃが形成されている。さらに、ケース１の外周面の一定位置には、後述する取付部材９の固定片９ｄの開口部９ｅに入り込む係止片１ｄが形成されている。
【００２１】
絶縁基板２は、フェノール樹脂等の積層板からなり、中央に大きな開口部を有する略円形の平板状に形成されている。絶縁基板２には、後述するＬＥＤ５に給電する一対の給電用パターン、並びに、後述する操作軸３の回転検出用の抵抗体パターン及び集電体パターンが設けられている。なお、これらの抵抗体パターンと集電体パターンとで摺接パターンが構成される。これらの給電用パターン、抵抗体パターン及び集電体パターンの構成については後述する。
【００２２】
操作軸３は、合成樹脂等の絶縁材からなり、中央に大きな中空状の空洞部を有する筒状に形成されている。操作軸３には、ケース１に設けられた軸受け部となる筒状軸１ａに回転可能に軸支される円筒状の筒部である回転軸３ａと、後述する回転部材４の位置決めを行う鍔部３ｂとが設けられている。回転軸３ａの側面部には、本回転型電気部品の前後方向に沿って、後述する回転部材４の係合溝４ｄと係合する複数の係合片３ｃが形成されている。
【００２３】
回転部材４は、クリック部材として機能するものであり、合成樹脂等の絶縁材からなり、中央に大きな開口部を有する円環状の基盤部４ａを有している。この基盤部４ａの外周側には、円環状の板状部が設けられている。この板状部の前方側の面には、後述する板ばね８が有するクリック用突起８ａが摺動することで回転時のクリック感触を発生させる連続した凹凸状のクリックカム４ｂが形成されている。また、基盤部４ａの所定位置には、後述するＬＥＤ５を収納する収納部４ｃが形成されている。さらに、基盤部４ａの内側には、操作軸３の係合片３ｃを収容する係合溝４ｄが形成されている。さらに、回転部材４における後方側の所定位置には、後述する第１摺動部材６及び第２摺動部材７が取り付けられる。
【００２４】
ＬＥＤ５は、発光部材を構成する発光ダイオードであり、発光部である素子部５ａと、一対のリード端子５ｂとから構成される。一対のリード端子５ｂは、本回転型電気部品の後方側の先端部近傍においてＬ字形状に折り曲げられている。第１摺動部材６及び第２摺動部材７は、弾性を有する金属板で形成される。第１摺動部材６は、導電部材として機能するものであり、一対のリード端子５ｂの先端に弾接すると共に、絶縁基板２に設けられる給電用パターンに摺接する。第２摺動部材７は、摺動部材として機能するものであり、絶縁基板２に設けられる抵抗体パターン及び集電体パターンに摺接する。なお、これらのＬＥＤ５、第１摺動部材６及び第２摺動部材７の構成については後述する。
【００２５】
板ばね８は、弾性を有する金属板（例えば、ステンレスやリン青銅等）からなり、図１に示す上方側に開口した半円弧状を有している。板ばね８の中央部には、回転部材４が有するクリックカム４ｂ上を摺動するクリック用突起８ａが設けられている。また、板ばね８の両端部には、板ばね８を後述する取付部材９に固定するための固定部８ｂが形成されている。板ばね８は、固定部８ｂにおいて、鳩目カシメなどにより取付部材９の後方側の面に固着される。
【００２６】
取付部材９は、金属板を打ち抜き、折り曲げて形成されており、円環状の上板部９ａと、この上板部９ａから後方側に向けて延在する複数の係合脚片９ｂ（本実施の形態では４個）と、一対の枠足９ｃと、２つの固定片９ｄとを有している。複数の係合脚片９ｂは、ケース１が有する複数の係合溝１ｃと係合する。固定片９ｄの内側部分には、ケース１が有する一対の係止片１ｄが係合する開口部９ｅが形成されている。
【００２７】
このような構成部品を有する回転型電気部品を組み立てると、図２に示すように、ケース１内に、絶縁基板２、操作軸３及び回転部材４が収容された状態で、取付部材９が前方側から取り付けられる。このとき、取付部材９の係合脚片９ｂがケース１の係合溝１ｃに係合し、ケース１の係止片１ｄが固定片９ｄの開口部９ｅに入り込む。操作軸３の回転軸３ａ、並びに、回転部材４の収納部４ｃは、取付部材９の上板部９ａから本回転型電気部品の前方側に向けて突出した状態となっている。このように組み立てられた状態において、操作軸３及び操作軸３に装着された回転部材４は、ケース１に対して一体的に回転可能に保持される。そして、操作軸３とクリック部材である回転部材４とにより、ケース１に対して回転可能な回転体が構成されている。
【００２８】
図３及び図４は、本実施の形態に係る回転型電気部品の断面図である。なお、図３は、第１摺動部材６を図１に示す左右方向（幅方向）に沿って切断した場合の断面図を示し、図４は、ＬＥＤ５の素子部５ａの中央部を図１に示す前後方向に沿って切断した場合の断面図を示している。
【００２９】
図３に示すように、第１摺動部材６は、回転部材４の後方側の面に固着されている。一方、図３及び図４に示すように、ＬＥＤ５のリード端子５ｂの先端部は、回転部材４の後面側に回り込んでいる。このように回り込むリード端子５ｂの先端部に、後述する第１摺動部材６の弾性腕部が弾接するようになっている。一方、後述する第１摺動部材６の摺接片は、絶縁基板２上の給電用パターンに摺接するようになっている。
【００３０】
なお、図３には現れていないが、第２摺動部材７は、第１摺動部材６と同様に、回転部材４の後方側の面に固着されている。後述する第２摺動部材７の一対の摺接片の一方が絶縁基板２上の抵抗体パターンに摺接し、第２摺動部材７の摺接片の他方が絶縁基板２上の集電体パターン上を摺接するようになっている（図５、図１２参照）。
【００３１】
以下、本実施の形態に係る回転型電気部品が有する主な構成部品の構成について説明する。具体的には、本実施の形態に係る回転型電気部品が有する絶縁基板２、操作軸３、回転部材４、ＬＥＤ５、第１摺動部材６及び第２摺動部材７の構成について説明する。なお、これらの構成部品において、図１で説明した構成については同一の符号を付し、その説明を省略する。
【００３２】
図５は、本実施の形態に係る回転型電気部品が有する絶縁基板２の正面図である。なお、図５においては、本回転型電気部品の前方側から見た場合の絶縁基板２について示している。
【００３３】
図５に示すように、絶縁基板２には、その外周側寄りの位置にＬＥＤ５に給電する一対の給電用パターン２ａ、２ｂが設けられている。給電用パターン２ａ、２ｂは、絶縁基板２の円環形状に沿って設けられ、その端部で不図示の電源に接続する端子に連結されている。給電用パターン２ａ、２ｂは、例えば、銀（Ａｇ）の印刷パターン（銀パターン）上にカーボンの印刷パターン（カーボンパターン）でコーティングすることにより形成されている。なお、銀（Ａｇ）パターン上をカーボンパターンでコーティングするのは、長期間の使用に伴う銀パターンの磨耗や腐食等を防止するためである。後述する一対の第１摺動部材６の各摺接片は、これらの給電用パターン２ａ、２ｂに対応する位置に配置され、給電用パターン２ａ、２ｂを介して不図示の電源からの電源供給を受ける。
【００３４】
また、絶縁基板２の内周側には、操作軸３の回転検出用の抵抗体パターン２ｃ及び集電体パターン２ｄが設けられている。抵抗体パターン２ｃ及び集電体パターン２ｄは、給電用パターン２ａ等と同様に、絶縁基板２の円環形状に沿って設けられ、その端部で不図示の電源や制御手段（検出回路）に接続する端子に連結されている。集電体パターン２ｄは、給電用パターン２ａ等と同様に、銀（Ａｇ）パターン上をカーボンパターンでコーティングすることにより形成されている。抵抗体パターン２ｃは、両端部に位置する電極部を除いてカーボンパターンのみで形成されている。これらの抵抗体パターン２ｃ及び集電体パターン２ｄと、第２摺動部材７とで可変抵抗器が構成され、回転検出手段を構成する。後述する第２摺動部材７の摺接片は、これらの抵抗体パターン２ｃ及び集電体パターン２ｄに対応する位置に配置されている。本回転型電気部品に接続される不図示の制御手段（検出回路）は、これらの抵抗体パターン２ｃ及び集電体パターン２ｄ上における第２摺動部材７の位置に応じた抵抗値に基づいて操作軸３の回転を検出する。
【００３５】
図６は、本実施の形態に係る回転型電気部品が有する操作軸３の拡大斜視図である。なお、図６（ａ）においては、本回転型電気部品の前方側から見た場合の操作軸３について示している。図６（ｂ）においては、本回転型電気部品の後方側から見た場合の操作軸３について示している。
【００３６】
図６に示すように、回転軸３ａの側面部には、複数の係合片３ｃが形成されている。これらの係合片３ｃのうち、図６に示す上方側に配置された一対の係合片３ｃの間には、回転部材４の収納部４ｃに収納されたＬＥＤ５の内側（回転軸３ａ側）への移動を規制する規制部３ｄが形成されている。規制部３ｄは、Ｔ字形状に形成された平面部で構成されている。規制部３ｄにおける装置の後方側端部には、僅かに図６に示す上方側に突出する凸部３ｅが形成されている。凸部３ｅは、後述する回転部材４の固定部４ｇに形成される収容部４ｊに入り込んで、収容部４ｊに収容されるＬＥＤ５が有する一対のリード端子５ｂ（折り曲げ部近傍）と当接あるいは近接状態で対向し、これら一対のリード端子５ｂが内側（内周側）へ移動するのを規制する役割を果たす。
【００３７】
図７は、本実施の形態に係る回転型電気部品が有する回転部材４の拡大斜視図である。なお、図７（ａ）においては、本回転型電気部品の前方側から見た場合の回転部材４について示している。図７（ｂ）においては、本回転型電気部品の後方側から見た場合の回転部材４について示している。
【００３８】
図７に示すように、収納部４ｃは、本回転型電気部品の前方側に向けて立設されている。その先端部には、後述する素子部５ａの基部５ｃを保持する素子保持部４ｅが形成されている。また、素子保持部４ｅよりも僅かに後方側には、後述する素子部５ａの鍔部５ｄを収容する凹部４ｆが形成されている（図７（ｂ）参照）。凹部４ｆに素子部５ａの鍔部５ｄを収容した状態で、素子保持部４ｅで素子部５ａの基部５ｃを保持することにより、収納部４ｃにＬＥＤ５が収納される。
【００３９】
また、図７（ｂ）に示すように、回転部材４の後方側の面には、第１摺動部材６及び第２摺動部材７を固定するための平面状の固定部４ｇが形成されている。固定部４ｇは、収納部４ｃに対応する位置に形成されている。固定部４ｇには、第１摺動部材６を固定するための一対の突起部４ｈと、第２摺動部材７を固定するための一対の突起部４ｉとが形成されている。また、固定部４ｇの中央部分には、ＬＥＤ５のリード端子５ｂを収容するための収容部４ｊが形成されている。突起部４ｈ及び突起部４ｉはいずれも、この収容部４ｊを挟んで反対側の互いに対向する位置にそれぞれ配置されている。また、収容部４ｊの内側には、ＬＥＤ５が有する一対のリード端子５ｂを離間した状態に維持するための突出片４ｋと、ＬＥＤ５のリード端子５ｂの先端を保持する保持片４ｌとが設けられている。
【００４０】
図８は、本実施の形態に係る回転型電気部品が有するＬＥＤ５の拡大斜視図である。なお、図８（ａ）においては、本回転型電気部品の前方側から見た場合のＬＥＤ５について示している。図８（ｂ）においては、本回転型電気部品の後方側から見た場合のＬＥＤ５について示している。
【００４１】
図８に示すように、ＬＥＤ５の素子部５ａは、基部５ｃ及び鍔部５ｄを有している。素子部５ａの後方側の面の中央近傍から一対のリード端子５ｂが設けられている。リード端子５ｂの後方側の先端部は、図８に示す上方側（回転部材４の径方向側）に向けて折り曲げられている。これにより、リード端子５ｂは、略Ｌ字状を成す。ここでは、リード端子５ｂの先端が上方側に垂直に折り曲げられる場合について示すが、必ずしも垂直に限定されるものではない。折り曲げられた先端部５ｅは、絶縁基板２に設けられた給電用パターン２ａ、２ｂと対向配置される。この先端部５ｅは、後述する第１摺動部材６の弾性腕部が弾接する接続部として機能する。なお、ＬＥＤ５が回転部材４に取り付けられた際、折り曲げられた先端部５ｅは、回転体を構成する回転部材４の内周側から外周側へと延びたものとなる（図１１参照）。
【００４２】
図９は、本実施の形態に係る回転型電気部品が有する第１摺動部材６及び第２摺動部材７の拡大斜視図である。なお、図９（ａ）においては、本回転型電気部品の前方側から見た場合の第１摺動部材６及び第２摺動部材７について示している。図９（ｂ）は、図９（ａ）とは異なる角度において本回転型電気部品の前方側から見た場合の第１摺動部材６及び第２摺動部材７について示している。
【００４３】
図９に示すように、第１摺動部材６は、２つの部品、すなわち、一対備えられており、それぞれ取付部６ａと、取付部６ａから平面視して同一方向に延びる弾性腕部６ｂ及び摺接片６ｃとを有している。取付部６ａには、取付孔６ｄが形成されている。固定部４ｇの突起部４ｈを取付孔６ｄに挿入した後に、突起部４ｈの先端をカシメなどによりつぶして変形させることで、第１摺動部材６が回転部材４に固着される。なお、本実施の形態においては、カシメとして加熱していないポンチにより突起部４ｈの先端を押しつぶす、いわゆる冷間カシメにて行っているが、加熱したポンチにより突起部４ｈを溶融させて押しつぶす（変形させる）熱カシメを採用してもよい。弾性腕部６ｂは、本回転型電気部品の前方側に曲げられ、ＬＥＤ５のリード端子５ｂの先端部５ｅに弾接する。摺接片６ｃは、本回転型電気部品の後方側に曲げられ、絶縁基板２上の給電用パターン２ａ（２ｂ）に摺接する。なお、一対の弾性腕部６ｂ及び一対の摺接片６ｃは、図３に示すように、いずれも交差するような配置となっている。
【００４４】
第２摺動部材７は、一対の取付部７ａと、取付部７ａから互いに相手側の取付部７ａの方向に延びる一対の摺接片７ｂとを有している。取付部７ａには、取付孔７ｃが形成されている。第１摺動部材６と同様に、固定部４ｇの突起部４ｉを取付孔７ｃに挿入した後に、突起部４ｉの先端をカシメなどによりつぶして変形させることで、第２摺動部材７が回転部材４に固着される。一対の摺接片７ｂは、共に本回転型電気部品の後方側に曲げられ、交差するような配置となり、一方の先端が絶縁基板２に設けられた抵抗体パターン２ｃに摺接し、他方の先端が絶縁基板２に設けられた集電体パターン２ｄに摺接する。
【００４５】
以下、本実施の形態に係る回転型電気部品が有する操作軸３と回転部材４との関係、並びに、操作軸３及び回転部材４と、ＬＥＤ５、第１摺動部材６及び第２摺動部材７との関係について説明する。図１０は、操作軸３と回転部材４との関係について説明するための図である。図１１は、操作軸３及び回転部材４と、ＬＥＤ５との関係について説明するための図である。図１２は、操作軸３及び回転部材４と、ＬＥＤ５、並びに、第１摺動部材６及び第２摺動部材７との関係について説明するための図である。なお、図１０〜図１２において、同図（ａ）は、本実施の形態に係る回転型電気部品を後方側から見た図であり、同図（ｂ）は、回転部材４の固定部４ｇの周辺の拡大図である。
【００４６】
複数の係合片３ｃが係合溝４ｄに収容されるように回転軸３ａを回転部材４の開口部に挿入することにより、操作軸３と回転部材４とが組み立てられる。この場合、図１０に示すように、固定部４ｇに対応する領域を除き、操作軸３の鍔部３ｂが回転部材４の内周部分に配置される。固定部４ｇは、鍔部３ｂが形成されていない規制部３ｄに対応する位置に配置される。このため、固定部４ｇは、本回転型電気部品の後方側に露出した状態となっている。規制部３ｄに形成される凸部３ｅの端部は、収容部４ｊの内側に僅かに入り込んでいる（図１０（ｂ）参照）。
【００４７】
なお、図１０は、説明の便宜上、ＬＥＤ５を組み込んでいない場合について説明しているが、本来は、ＬＥＤ５が組み込まれた回転部材４の開口部に対して操作軸３が挿入される。この場合において、ＬＥＤ５は、回転部材４の内側から収納部４ｃに収納され、この状態で回転部材４の開口部に対して操作軸３が挿入される。この場合、ＬＥＤ５が有するリード端子５ｂの先端部５ｅは、図１１に示すように、収容部４ｊの端部近傍に収容される。具体的には、突出片４ｋの側方側に配置されると共に、その端部近傍を保持片４ｌにより保持された状態とされる。このとき、先端部５ｅは、絶縁基板２に設けられた給電用パターン２ａ、２ｂと対向した状態となっている。
【００４８】
図１１に示すように操作軸３と回転部材４とが組み立てられた状態で、回転部材４に第１摺動部材６及び第２摺動部材７が取り付けられる。この場合、図１２に示すように、一対の第１摺動部材６は、固定部４ｇの突起部４ｈを取付孔６ｄに挿通させた状態でカシメにより固着される。同様に、第２摺動部材７は、突起部４ｉを取付孔７ｃに挿通させた状態でカシメにより固着される。この場合において、第１摺動部材６と第２摺動部材７とは、図１２に示すように、回転部材４の径方向に並んで配置されている。そして、図１２に示す右方側に配置された第１摺動部材６の弾性腕部６ｂは、同図に示す左方側に向かって延びている。そして、その先端（ここでは、上方から２本目の弾性腕部６ｂの先端）が図１２に示す左方側に配置されたリード端子５ｂの先端部５ｅに弾接するように構成されている。一方、図１２に示す左方側に配置された第１摺動部材６の弾性腕部６ｂは、同図に示す右方側に向かって延びている。そして、その先端（ここでは、上方から４番目の弾性腕部６ｂの先端）が図１２に示す右方側に配置されたリード端子５ｂの先端部５ｅに弾接するように構成されている。
【００４９】
ここで、第１摺動部材６が有する弾性腕部６ｂ及び摺接片６ｃ、並びに、第２摺動部材７が有する摺接片７ｂの構成について図１３及び図１４を用いて説明する。図１３及び図１４は、図１２に示す状態の回転部材４に保持されたＬＥＤ５と、第１摺動部材６及び第２摺動部材７との関係について説明するための斜視図である。なお、図１３及び図１４においては、説明の便宜上、操作軸３を省略している。また、図１４においては、説明の便宜上、第２摺動部材７を固定部４ｇから離間させた状態について示している。
【００５０】
図１３及び図１４に示すように、回転部材４の固定部４ｇに固定された第１摺動部材６の弾性腕部６ｂは、同図に示す下方側に曲げられる一方、摺接片６ｃは、同図に示す上方側に曲げられている。前者は、リード端子５ｂの先端部５ｅに弾接し、後者は、絶縁基板２に設けられた給電用パターン２ａ、２ｂに摺接するように構成されている。この場合において、弾性腕部６ｂは、自身が連結される取付部６ａから遠い位置に配置されているリード端子５ｂの先端部５ｅに弾接するようになっている。
【００５１】
また、回転部材４の固定部４ｇに固定された第２摺動部材７の一対の摺接片７ｂは、図１３及び図１４に示すように、両方とも同図に示す上方側に曲げられている。そして、それぞれの先端が、絶縁基板２に設けられた抵抗体パターン２ｃ及び集電体パターン２ｄに摺接するように構成されている。
【００５２】
このように本実施の形態に係る回転型電気部品によれば、ＬＥＤ５が有する一対のリード端子５ｂの先端をＬ字状に折り曲げる一方、第１摺動部材６の一部をリード端子５ｂの先端部５ｅに弾接させるようにしたことから、従来のように一対のリード端子の位置を固定するために所定の通孔に挿入する必要がないので、組み立てる際の作業性を向上することができる。また、第１摺動部材６を回転部材４に取り付ける際、第１摺動部材６の一部である弾性腕部６ｂとリード端子５ｂの先端部５ｅとの接続状態を目視等により容易に確認することができる。このため、組み立て時に作業性をより一層良好なものとすることができると共に、リード端子５ｂと第１摺動部材６との接続の信頼性を確保することが可能となる。さらに、一対の第１摺動部材６の一部を一対のリード端子５ｂの先端部５ｅにそれぞれ弾接する構成であることから、導電部材を複雑な構成にする必要がないので、製造時における歩留まり率を向上でき、製造コストを低減することができる。この結果、組み立てる際の作業性に優れると共に、製造コストを低減することができる回転型電気部品を提供することが可能となる。
【００５３】
具体的には、本実施の形態に係る回転型電気部品においては、一対の第１摺動部材６を、回転部材４に取り付けられる取付部６ａと、取付部６ａから延びてリード端子５ｂに弾接する弾性腕部６ｂと、取付部６ａから延びて給電用パターン２ａ、２ｂに摺接する摺接片６ｃとで構成し、弾性腕部６ｂと摺接片６ｃとを回転部材４の回転軸線方向の異なる方向に突出させていることから、簡単な構成で第１摺動部材６をリード端子５ｂの先端部５ｅに弾接すると共に、給電用パターン２ａ、２ｂに摺接させることが可能となる。
【００５４】
特に、本実施の形態に係る回転型電気部品においては、一対の第１摺動部材６のそれぞれの取付部６ａが、一対のリード端子５ｂ（先端部５ｅ）を挟んで互いに対向する位置に取り付けられて、それぞれの弾性腕部６ｂが一対のリード端子５ｂのうち遠い位置に配置されるリード端子５ｂの先端部５ｅに弾接するようにしている。これにより、弾性腕部６ｂにおける腕部分の長さを確保することができるので、リード端子５ｂとの接続の信頼性を向上することが可能となる。
【００５５】
また、本実施の形態に係る回転型電気部品においては、一対のリード端子５ｂが、回転部材４の径方向（外周側）に折り曲げられると共に、第１摺動部材６を平面視した場合に、弾性腕部６ｂ及び摺接片６ｃが、それぞれの取付部６ａから同一方向に延びるようにしている。このように、取付部６ａから弾性腕部６ｂと摺接片６ｃとが同一方向に設けるようにしたことから、製造時における材料の歩留まり率を向上すると共に、操作軸３及び回転部材４の回転角度を広く確保することが可能となる。
【００５６】
さらに、本実施の形態に係る回転型電気部品においては、第２摺動部材７を、第１摺動部材６と回転部材４の径方向に並んで配置させるようにしたことから、第１摺動部材６及び第２摺動部材７に必要とするスペースを低減することができるので、操作軸３及び回転部材４の回転角度を広く確保することが可能となる。
【００５７】
さらに、本実施の形態に係る回転型電気部品において、ＬＥＤ５は、回転部材４の内周側から取り付けられ、操作軸３の回転軸３ａの外周面でＬＥＤ５を支持するようにしている。これにより、ＬＥＤ５が操作軸３と回転部材４との間に配置されることから、ＬＥＤ５の取付時にリード端子５ｂを折り曲げるような特別な取付作業を必要とすることなく容易にＬＥＤ５を装着すると共に、ＬＥＤ５が脱落するのを防止することが可能となる。
【００５８】
（実施の形態２）
実施の形態２に係る回転型電気部品は、回転部材４に取り付けられる構成部品が異なる点で実施の形態１に係る回転型電気部品と相違する。実施の形態１に係る回転型電気部品においては、回転部材４に対して、発光部材として、一対のリード端子５ｂを有するＬＥＤ５が取り付けられているのに対し、実施の形態２に係る回転型電気部品においては、発光部材として、一対のリード端子を有し、チップ状ＬＥＤ（発光ダイオード）を保持した状態の保持部材が取り付けられる。以下、実施の形態１に係る回転型電気部品との相違点を中心に実施の形態２に係る回転型電気部品を説明する。
【００５９】
図１５は、本発明の実施の形態２に係る回転型電気部品の分解斜視図である。図１６は、本実施の形態に係る回転型電気部品の全体斜視図である。図１７は、本実施の形態に係る回転型電気部品の正面図である。なお、図１６（ａ）、（ｂ）においては、説明の便宜上、異なる方向から回転型電気部品を示している。また、以下においては、適宜、図１５に示す右方側を回転型電気部品の後方側（単に、後方側）と呼び、左方側を回転型電気部品の前方側（単に、前方側）と呼ぶものとする。さらに、図１５〜図１７において、実施の形態１に係る回転型電気部品と同一の構成については、同一の符号を付し、その説明を省略する。
【００６０】
上述したように、実施の形態２に係る回転型電気部品においては、回転部材４に対して、発光部材として、一対のリード端子を有し、チップ状ＬＥＤを保持した状態の保持部材１０が取り付けられている点で実施の形態１に係る回転型電気部品と相違する。なお、チップ状ＬＥＤ１１を保持した状態の保持部材１０を回転部材４に取り付ける態様については、実施の形態１に係る回転型電気部品と同一である。すなわち、チップ状ＬＥＤ１１を保持した状態の保持部材１０は、回転部材４の内周側から取り付けられる一方、操作軸３の回転軸３ａの外周面で支持されている。回転部材４の収納部４ｃは、取り付けられる部材の変更に伴い、その形状が一部変更されている。なお、これらの回転部材４、保持部材１０及びチップ状ＬＥＤ１１の構成については後述する。
【００６１】
また、実施の形態２に係る回転型電気部品においては、取付部材９に、操作軸３の回転を規制する規制部材が設けられている点で実施の形態１に係る回転型電気部品と相違する。実施の形態２に係る回転型電気部品においては、図１５に示すように、上板部９ａの内周側の所定位置に、操作軸３の回転を規制する一対の規制片９ｆが設けられている。これらの規制片９ｆは、回転型電気部品の前方側に突出するように形成されている。これらの規制片９ｆは、操作軸３と一体的に回転する回転部材４の収納部４ｃの側面と当接して、操作軸３の回転を規制する。これらの規制片９ｆは、それぞれ操作軸３が中央の位置から時計回転方向及び反時計回転方向に所定角度（図１５においては、１３５度）だけ回転した際にその回転を規制する位置に配置されている。
【００６２】
さらに、実施の形態２に係る回転型電気部品においては、固定片９ｄの中央部分を内側に折り曲げることで開口部９ｅを形成する。実施の形態２に係る回転型電気部品においては、この折り曲げた部分を操作軸３の回転を規制する一対の規制片９ｇ（不図示）として利用する。これらの規制片９ｇは、取付部材９の内側に突出するように形成されている。規制片９ｇは、操作軸３と一体的に回転する回転部材４における後述する当接片４ｍと当接して、操作軸３の回転を規制する。一対の規制片９ｇは、規制片９ｆと同様に、それぞれ操作軸３が中央の位置から時計回転方向及び反時計回転方向に所定角度（図１５においては、１３５度）だけ回転した際にその回転を規制する位置に配置されている。
【００６３】
このような構成部品を有する回転型電気部品を組み立てると、図１６（ａ）、（ｂ）に示すように、ケース１内に、絶縁基板２、操作軸３及び回転部材４が収容された状態で、取付部材９が前方側から取り付けられる。このとき、取付部材９の係合脚片９ｂがケース１の係合溝１ｃに係合し、ケース１の係止片１ｄが固定片９ｄの開口部９ｅに入り込む。操作軸３の回転軸３ａ、並びに、回転部材４の収納部４ｃは、取付部材９の上板部９ａから前方側に向けて突出した状態となっている。このように組み立てられた状態において、操作軸３及び操作軸３に装着された回転部材４は、ケース１に対して一体的に回転可能に保持されている。
【００６４】
このように組み立てられた状態の回転型電気部品においては、図１７に示すように、回転部材４の収納部４ｃの内側にチップ状ＬＥＤ１１が配置されている。チップ状ＬＥＤ１１は、発光面を回転型電気部品の前方側に向けた状態で組み込まれており、回転型電気部品の前方側を照光可能に構成されている。なお、図１７においては、本実施の形態に係る回転型電気部品の操作軸３が回転可能角度（２７０度）の中央に位置している状態を示している。
【００６５】
ここで、本実施の形態に係る回転型電気部品が有する回転部材４、保持部材１０及びチップ状ＬＥＤ１１の構成について説明する。図１８は、本実施の形態に係る回転型電気部品が有する回転部材４の斜視図である。図１８（ａ）においては、収納部４ｃが同図に示す上方側に配置された状態について示し、同図（ｂ）においては、収納部４ｃが同図に示す下方側に配置された状態について示している。なお、図１８（ａ）においては、チップ状ＬＥＤ１１を保持した保持部材１０が取り付けられた状態について示している。
【００６６】
実施の形態２に係る回転部材４は、収納部４ｃの形状が異なる点、並びに、外周縁部に一対の当接片４ｍが設けられている点で実施の形態１に係る回転部材４と相違する。なお、その他の構成については、実施の形態１に係る回転部材４と同一である。図１８（ａ）、（ｂ）に示すように、収納部４ｃは、回転型電気部品の前方側と後方側及び内周側に開口した形状を有し、その内周側にチップ状ＬＥＤ１１を保持した状態の保持部材１０を収納可能に構成されている。なお、収納部４ｃの内壁には、図１８（ｂ）に示すように、収納された保持部材１０の位置決めに用いられる突出片４ｎが設けられている。
【００６７】
次に、保持部材１０及びチップ状ＬＥＤ１１の構成について説明する。図１９及び図２０は、本実施の形態に係る回転型電気部品が有する保持部材１０の斜視図である。図２１は、本実施の形態に係る回転型電気部品が有する保持部材１０の構成を説明するための図である。なお、図１９においては、チップ状ＬＥＤ１１を保持した状態の保持部材１０について示し、図２０においては、チップ状ＬＥＤ１１を取り外した状態の保持部材１０について示している。また、図２１（ａ）においては、保持部材１０を構成する一対のリード端子１０ａ、１０ｂを抜き出して示し、同図（ｂ）においては、保持部材１０を構成する保持体１０ｃを抜き出して示している。
【００６８】
図１９及び図２０に示すように、保持部材１０は、一対のリード端子１０ａ、１０ｂと、これらのリード端子１０ａ、１０ｂを保持する保持体１０ｃとで構成されている。保持体１０ｃは、例えば、合成樹脂等の絶縁材で形成される。保持体１０ｃは、リード端子１０ａ、１０ｂの前方側の端部近傍を保持しており、この保持体１０ｃの後方側端部からリード端子１０ａ、１０ｂの一部が延出している。
【００６９】
また、図２１（ｂ）に示すように、保持体１０ｃの前方側端部近傍には、光源であるチップ状ＬＥＤ１１を受ける受け部１０ｄが設けられている。この受け部１０ｄは、発光面を前方側に向けた状態におけるチップ状ＬＥＤ１１を収容する形状を有している。具体的には、受け部１０ｄは、図２１（ｂ）に示すチップ状ＬＥＤ１１の下面（一側面）を受ける受け面１０ｅと、前方側端部を支持する一対の支柱１０ｆと、その後方側端部を支持する支持面１０ｇとを有している。
【００７０】
さらに、保持体１０ｃの後方側端部には、図２１（ｂ）に示す上方側に突出する突出片１０ｈが設けられている。この突出片１０ｈは、収納部４ｃに収納される保持部材１０の位置決めに用いられる。さらに、保持体１０ｃの中央部近傍には、後述するリード端子１０ａ、１０ｂの腕部１０ｊ、１０ｋを露出させる露出部１０ｉが形成されている。
【００７１】
リード端子１０ａ、１０ｂは、導電性を有する金属板材に打ち抜き加工を施すと共に、折り曲げ加工を施すことで形成される。例えば、リード端子１０ａ、１０ｂは、保持体１０ｃを製造する際に側方側に並べた状態でインサート成型され、保持体１０ｃに埋設される。図１９及び図２０に示すように、保持体１０ｃの後方側端部から延出した部分は、同図に示す上方側に折り曲げられてＬ字状を成している。実施の形態１に係るリード端子５ｂと同様に、この折り曲げられた部分の後面で回転部材４の内周側から外周側へ延びる接続部が構成される。この接続部に第１摺動部材６の弾性腕部６ｂが弾接するようになっている。
【００７２】
また、図２１（ａ）に示すように、それぞれのリード端子１０ａ、１０ｂの中央よりも僅かに前方側には、第２接続部を構成する腕部１０ｊ、１０ｋが設けられている。腕部１０ｊ、１０ｋは、リード端子１０ａ、１０ｂから僅かに側方側に延出した位置で前方側に延出する突出片を上方側に折り曲げることで形成される。腕部１０ｊ、１０ｋは、概してリード端子１０ａ、１０ｂと直交する位置まで上方側に折り曲げられ、互いに対向した状態に構成されている。
【００７３】
腕部１０ｊ、１０ｋの前方側端部は、図２０に示すように、保持体１０ｃの露出部１０ｉから延出し、その受け部１０ｄまで延出して弾性を有するものとなっている。これらの腕部１０ｊ、１０ｋの前方側端部には、互いに相手側に突出する突出部１０ｌ、１０ｍが設けられている。これらの突出部１０ｌ、１０ｍは、図１９に示すように、保持体１０ｃの受け部１０ｄに収容されたチップ状ＬＥＤ１１の一対の電極１１ａ、１１ｂに弾接し、チップ状ＬＥＤ１１を保持する（図１９、図２０において、電極１１ａは不図示）。これにより、チップ状ＬＥＤ１１を保持体１０ｃの受け部１０ｄに固定すると共に、リード端子１０ａ、１０ｂを介してこのチップ状ＬＥＤ１１に給電可能に構成されている。
【００７４】
次に、本実施の形態に係る回転型電気部品において、操作軸３を回転させた場合の動作について説明する。図２２及び図２３は、それぞれ本実施の形態に係る回転型電気部品において、操作軸３を回転させた場合の動作について説明するための斜視図及び正面図である。ここでは、反時計回転方向の最大角度近傍まで操作軸３を回転させた場合について示している。
【００７５】
図１６及び図１７に示す回転型電気部品の状態から反時計回転方向に回転させると、操作軸３と、操作軸３に固定されている回転部材４が一緒に回転する。この回転に応じて回転部材４に設けられた収納部４ｃも一緒に回転する。そして、反時計回転方向の最大角度まで回転すると、図２２及び図２３に示す状態を経由して、収納部４ｃの側面が、取付部材９に形成された規制片９ｆと当接する。これにより、回転部材４の回転が規制される結果、操作軸３の回転が規制されることとなる。なお、操作軸３を時計回転方向に回転した場合も同様である。
【００７６】
なお、このように規制片９ｆにより操作軸３の回転が規制される際、回転型電気部品の内部においては、取付部材９に形成された規制片９ｇ（不図示）が回転部材４の当接片４ｍと当接する。これにより、回転部材４の回転が規制される結果、操作軸３の回転が規制されることとなる。すなわち、本実施の形態に係る回転型電気部品においては、その外部側において規制片９ｆで操作軸３の回転を規制し、その内部側において規制片９ｇで操作軸３の回転を規制している。これにより、確実に操作軸３の回転を規制することができ、動作の信頼性を向上している。
【００７７】
このように本実施の形態に係る回転型電気部品によれば、回転部材４に取り付けられる発光部材を、チップ状ＬＥＤ１１と、このチップ状ＬＥＤ１１を保持し一対のリード端子１０ａ、１０ｂを有する保持部材１０とで構成し、一対のリード端子１０ａ、１０ｂに、チップ状ＬＥＤ１１の一対の電極１１ａ、１１ｂとそれぞれ導電接続される腕部１０ｊ、１０ｋを設けている。これにより、保持部材１０を介してチップ状ＬＥＤ１１を回転部材４に取り付けることができることから、チップ状ＬＥＤ１１を所望の照光位置に近づけて配置することが可能となる。また、保持部材１０に保持されるチップ状ＬＥＤ１１を交換することにより、様々な発光色に対応することができる回転型電気部品を提供することが可能となる。
【００７８】
特に、保持部材１０においては、保持体１０ｃに一対のリード端子１０ａ、１０ｂが並べて埋設されると共に、チップ状ＬＥＤ１１を受ける受け部１０ｄが設けられている。一方、一対のリード端子１０ａ、１０ｂの腕部１０ｊ、１０ｋは、リード端子１０ａ、１０ｂから延出して互いに対向する位置に設けられ、受け部１０ｄに配置されたチップ状ＬＥＤ１１の一対の電極１１ａ、１１ｂに弾接する突出部１０ｌ、１０ｍを有している。これにより、受け部１０ｄに配置されたチップ状ＬＥＤ１１の一対の電極１１ａ、１１ｂに対して、これらの突出部１０ｌ、１０ｍを弾接させることができるので、チップ状ＬＥＤ１１とリード端子１０ａ、１０ｂとの導通状態を安定させることが可能となる。
【００７９】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００８０】
例えば、実施の形態２に係る回転型電気部品においては、取付部材９に形成された規制片９ｆを回転部材４の収納部４ｃと当接させて操作軸３の回転を規制している。しかしながら、操作軸３の回転を規制する構成としてはこれに限定されるものではなく、適宜変更が可能である。例えば、操作軸３に操作つまみを装着して使用する状況を前提とした場合には、規制片９ｆの形状を外周側に突出するように変更し、規制片９ｆを操作つまみに当接させるようにしても良い。この場合には、回転部材４及び操作つまみの両方で操作軸３の回転を規制することができるので、より確実に操作軸３の回転を規制することが可能となる。
【図面の簡単な説明】
【００８１】
【図１】本発明の実施の形態１に係る回転型電気部品の分解斜視図である。
【図２】実施の形態１に係る回転型電気部品の全体斜視図である。
【図３】実施の形態１に係る回転型電気部品の断面図である。
【図４】実施の形態１に係る回転型電気部品の断面図である。
【図５】実施の形態１に係る回転型電気部品が有する絶縁基板の正面図である。
【図６】実施の形態１に係る回転型電気部品が有する操作軸の拡大斜視図である。
【図７】実施の形態１に係る回転型電気部品が有する回転部材の拡大斜視図である。
【図８】実施の形態１に係る回転型電気部品が有するＬＥＤの拡大斜視図である。
【図９】実施の形態１に係る回転型電気部品が有する第１摺動部材及び第２摺動部材の拡大斜視図である。
【図１０】実施の形態１に係る回転型電気部品の操作軸と回転部材との関係について説明するための図である。
【図１１】実施の形態１に係る回転型電気部品の操作軸及び回転部材と、ＬＥＤとの関係について説明するための図である。
【図１２】実施の形態１に係る回転型電気部品の操作軸及び回転部材と、ＬＥＤ、並びに、第１摺動部材及び第２摺動部材との関係について説明するための図である。
【図１３】図１２に示す状態の回転部材に保持されたＬＥＤと、第１摺動部材及び第２摺動部材との関係について説明するための斜視図である。
【図１４】図１２に示す状態の回転部材に保持されたＬＥＤと、第１摺動部材及び第２摺動部材との関係について説明するための斜視図である。
【図１５】本発明の実施の形態２に係る回転型電気部品の分解斜視図である。
【図１６】実施の形態２に係る回転型電気部品の全体斜視図である。
【図１７】実施の形態２に係る回転型電気部品の正面図である。
【図１８】実施の形態２に係る回転型電気部品が有する回転部材の斜視図である。
【図１９】実施の形態２に係る回転型電気部品が有する発光部材の斜視図である。
【図２０】実施の形態２に係る回転型電気部品が有するチップ状ＬＥＤを取り外した状態の保持部材の斜視図である。
【図２１】実施の形態２に係る回転型電気部品が有する保持部材の構成を説明するための図である。
【図２２】実施の形態２に係る回転型電気部品の全体斜視図である。
【図２３】実施の形態２に係る回転型電気部品の正面図である。
【符号の説明】
【００８２】
１  ケース
１ａ  筒状軸（筒状部）
１ｂ  収納部
１ｃ  係合溝
１ｄ  係止片
２  絶縁基板（基板）
２ａ、２ｂ  給電用パターン
２ｃ  抵抗体パターン（摺接パターン）
２ｄ  集電体パターン（摺接パターン）
３  操作軸（回転体）
３ａ  回転軸（筒部）
３ｂ  鍔部
３ｃ  係合片
３ｄ  規制部
３ｅ  凸部
４  回転部材（回転体、クリック部材）
４ａ  基盤部
４ｂ  クリックカム
４ｃ  収納部
４ｄ  係合溝
４ｅ  素子保持部
４ｆ  凹部
４ｇ  固定部
４ｈ、４ｉ  突起部
４ｊ  収容部
４ｋ  突出片
４ｌ  保持片
５  ＬＥＤ（発光部材）
５ａ  素子部
５ｂ  リード端子
５ｅ  先端部（接続部）
６  第１摺動部材（導電部材）
６ａ  取付部
６ｂ  弾性腕部
６ｃ  摺接片
７  第２摺動部材（摺動部材）
７ａ  取付部
７ｂ  摺接片
８  板ばね
８ａ  クリック用突起
９  取付部材
９ａ  上板部
９ｂ  係合脚片
９ｃ  枠足
９ｄ  固定片
９ｅ  開口部
１０  保持部材（発光部材）
１０ａ、１０ｂ  リード端子
１０ｃ  保持体
１０ｄ  受け部
１０ｅ  受け面
１０ｆ  支柱
１０ｇ  支持面
１０ｈ  突出片
１０ｉ  露出部
１０ｊ、１０ｋ  腕部（第２接続部）
１０ｌ、１０ｍ  突出部
１１  チップ状ＬＥＤ（発光部材）
１１ａ、１１ｂ  電極
【図１】
2008277259.tif 000003
【図２】
2008277259.tif 000004
【図３】
2008277259.tif 000005
【図４】
2008277259.tif 000006
【図５】
2008277259.tif 000007
【図６】
2008277259.tif 000008
【図７】
2008277259.tif 000009
【図８】
2008277259.tif 000010
【図９】
2008277259.tif 000011
【図１０】
2008277259.tif 000012
【図１１】
2008277259.tif 000013
【図１２】
2008277259.tif 000014
【図１３】
2008277259.tif 000015
【図１４】
2008277259.tif 000016
【図１５】
2008277259.tif 000017
【図１６】
2008277259.tif 000018
【図１７】
2008277259.tif 000019
【図１８】
2008277259.tif 000020
【図１９】
2008277259.tif 000021
【図２０】
2008277259.tif 000022
【図２１】
2008277259.tif 000023
【図２２】
2008277259.tif 000024
【図２３】
2008277259.tif 000025